(57)【要約】【課題】  電極により関節や神経を刺激することで、効果的な治療を行うことが可能な電子治療器を提供する。【解決手段】  人体５０の関節部位（例えば、膝関節５３）に通電可能な一対の電極１０と、該一対の電極１０が前記関節部位に通電する通電量を制御するコントローラ３０と、前記一対の電極１０を前記関節部位の両側に固定する固定手段２０とを有する。【選択図】      図３
2011045696.tif 000002
【特許請求の範囲】
【請求項１】
人体の関節部位に通電可能な一対の電極と、
該一対の電極が前記関節部位に通電する通電量を制御するコントローラと、
前記一対の電極を前記関節部位の両側に固定する固定手段とを有することを特徴とする電子治療器。
【請求項２】
前記固定手段は、前記一対の電極を保持すると共に、該一対の電極を前記関節部位の両側に固定する電極支持ベルト部と、
前記電極支持ベルト部を関節部位に固定する固定ベルト部とを有することを特徴とする請求項１に記載の電子治療器。
【請求項３】
前記一対の電極は、関節部位に低周波治療波を印加して痛みを伝達する神経に作用して痛みを和らげることを特徴とする請求項１又は請求項２に記載の電子治療器。
【請求項４】
前記固定ベルト部は、前記電極支持ベルト部の両側に該電極支持ベルト部と一体に形成されて前記関節部位の一側に固定される一側固定ベルト部と、
前記関節部位又は関節部位の他側に固定される他側固定ベルト部とを有することを特徴とする請求項２又は請求項３に記載の電子治療器。
【請求項５】
前記人体の関節部位が大腿骨と下腿骨との間の膝関節であり、
前記一側固定ベルトは、前記大腿骨に巻き付けられて固定され、
前記他側固定ベルト部は、前記下腿骨に巻き付けられて固定され、
前記電極支持ベルト部は、前記一対の電極が前記膝関節の両側にそれぞれ位置するように前記膝関節の周囲に巻き付けられることを特徴とする請求項４に記載の電子治療器。
【請求項６】
前記他側固定ベルト部は、前記電極支持ベルト部と一体に形成されて前記関節部位に固定されることを特徴とする請求項１から請求項４のいずれか一項に記載の電子治療器。
【請求項７】
前記他側固定ベルト部は、長手方向の中間部が前記電極支持ベルト部の電極保持部に連結部を介して連結され、該連結部の両側には、前記電極保持部との間に非連結部が形成されていることを特徴とする請求項６に記載の電子治療器。
【請求項８】
前記他側固定ベルト部は、前記電極支持ベルト部によって前記一対の電極が保持される保持部に弾性部材を設けたことを特徴とする請求項６又は請求項７に記載の電子治療器。
【請求項９】
前記人体の関節部位が大腿骨と下腿骨との間の膝関節であり、
前記一側固定ベルト部は、前記大腿骨に巻き付けられて固定され、
前記他側固定ベルト部は、前記一対の電極が前記膝関節の両側にそれぞれ位置するように前記大腿骨と下腿骨との間に巻き付けられて固定されることを特徴とする請求項６から請求項８のいずれか一項に記載の電子治療器。
【請求項１０】
前記コントローラは、前記一側固定ベルト部に着脱自在に固定されることを特徴とする請求項４から請求項９のいずれか一項に記載の電子治療器。
【請求項１１】
前記一側固定ベルト部の外表面側には、前記一対の電極に一端がそれぞれ接続され、前記電極支持ベルト部及び一側固定ベルト部の内部に配索されたハーネスの他端がそれぞれ接続された一対の電極が露出され、前記一対の電極に前記コントローラが接続されて前記一側固定ベルト部に前記コントローラが固定されることを特徴とする請求項４から請求項１０のいずれか一項に記載の電子治療器。
【発明の詳細な説明】
【技術分野】
【０００１】
本発明は、電極により関節や神経を刺激することができる電子治療器に関する。
【背景技術】
【０００２】
従来、患部に電流を流して治療をする電子治療器が知られている。このような電子治療器は、筋肉への血液循環が不充分になることにより生じる肩こりや筋肉痛等が生じた疾患部位に対して電流を流すことで疾患部位の血液循環を促進して治療する。
【０００３】
このような電子治療器として、高電圧パルスを人体に貼られた電極を通じて人体に通電することにより、患部にマッサージ等を施して患部の痛みを取る電子治療器が提案されている（例えば、特許文献１参照）。
【０００４】
また、電極を膝の筋肉上に固定して、この電極を介して筋肉に通電することにより、筋肉が収縮弛緩を繰り返して血液循環を促進すると共に、痛みの伝達が抑制される電子治療器が提案されている（例えば、非特許文献１参照）。
【先行技術文献】
【特許文献】
【０００５】
【特許文献１】特開２０００−０１４８００号公報
【非特許文献】
【０００６】
【非特許文献１】ｐｒｏｆｉｔホームページ、[２００９年６月２５日検索]インターネット〈ＵＲＬ：ｈｔｔｐ：／／ｗｗｗ．ｐｒｏｆｉｔ．ｃｏ．ｊｐ／ｓｕｐｐｌｅ／ｈｋｒｋ／〉
【発明の概要】
【発明が解決しようとする課題】
【０００７】
しかしながら、上述した従来の電子治療器では、高電圧パルスを人体に貼られた電極を通じて通電する場合、使用者は表面に粘着性のある電極を任意の場所に貼り付けるため、電極が剥がれたり、ずれたりする等により貼り付けが不完全となり、患部に固定することが難しいという問題があった。
【０００８】
また、電極を膝の筋肉上に固定して、電極を通電する場合、一定時間電極を通電するとことにより筋肉を刺激するため、その刺激に慣れてしまい、治療効果を得られないまま治療を終了してしまうという問題があった。
【０００９】
そこで、本発明はこのような従来の課題を解決するためになされたものであり、その目的とするところは、電極により関節や神経を刺激することで、効果的な治療を行うことが可能な電子治療器を提供することにある。
【課題を解決するための手段】
【００１０】
上記目的を達成するため、本願請求項１に記載の発明は、人体の関節部位に通電可能な一対の電極と、該一対の電極が前記関節部位に通電する通電量を制御するコントローラと、前記一対の電極を前記関節部位の両側に固定する固定手段とを有することを特徴とする。
【００１１】
請求項２に記載の発明は、前記固定手段は、前記一対の電極を保持すると共に、該一対の電極を前記関節部位の両側に固定する電極支持ベルト部と、前記電極支持ベルト部を関節部位に固定する固定ベルト部とを有することを特徴とする。
【００１２】
請求項３に記載の発明は、前記一対の電極は、関節部位に低周波治療波を印加して痛みを伝達する神経に作用して痛みを和らげることを特徴とする。
【００１３】
請求項４に記載の発明は、前記固定ベルト部は、前記電極支持ベルト部の両側に該電極支持ベルト部と一体に形成されて前記関節部位の一側に固定される一側固定ベルト部と、前記関節部位又は関節部位の他側に固定される他側固定ベルト部とを有することを特徴とする。
【００１４】
請求項５に記載の発明は、前記人体の関節部位が大腿骨と下腿骨との間の膝関節であり、前記一側固定ベルト部は、前記大腿骨に巻き付けられて固定され、前記他側固定ベルト部は、前記下腿骨に巻き付けられて固定され、前記電極支持ベルト部は、前記一対の電極が前記膝関節の両側にそれぞれ位置するように前記膝関節の周囲に巻き付けられることを特徴とする。
【００１５】
請求項６に記載の発明は、前記他側固定ベルト部は、前記電極支持ベルト部と一体に形成されて前記関節部位に固定されることを特徴とする。
【００１６】
請求項７に記載の発明は、前記他側固定ベルト部は、長手方向の中間部が前記電極支持ベルト部の電極保持部に連結部を介して連結され、該連結部の両側には、前記電極保持部との間に非連結部が形成されていることを特徴とする。
【００１７】
請求項８に記載の発明は、前記他側固定ベルト部は、前記電極支持ベルト部によって前記一対の電極が保持される保持部に弾性部材を設けたことを特徴とする。
【００１８】
請求項９に記載の発明は、前記人体の関節部位が大腿骨と下腿骨との間の膝関節であり、前記一側固定ベルト部は、前記大腿骨に巻き付けられて固定され、前記他側固定ベルト部は、前記一対の電極が前記膝関節の両側にそれぞれ位置するように前記大腿骨と下腿骨との間に巻き付けられて固定されることを特徴とする。
【００１９】
請求項１０に記載の発明は、前記コントローラは、前記一側固定ベルト部に着脱自在に固定されることを特徴とする。
【００２０】
請求項１１に記載の発明は、前記一側固定ベルト部の外表面側には、前記一対の電極に一端がそれぞれ接続され、前記電極支持ベルト部及び一側固定ベルト部の内部に配索されたハーネスの他端がそれぞれ接続された一対の電極が露出され、前記一対の電極に前記コントローラが接続されて前記一側固定ベルト部に前記コントローラが固定されることを特徴とする。
【発明の効果】
【００２１】
請求項１に記載の発明によれば、人体の関節部位に通電可能な一対の電極により人体の関節部位に通電する。関節部位を一対の電極により通電することで、痛み信号が途中で止まるように、痛みを伝える神経の中断所（間接部位）に通じる痛みを抑える神経に作用させる。これにより、効果的な治療を行うことが可能な電子治療器を提供することができる。
【００２２】
また、固定手段により、一対の電極を関節部位の両側に固定して、関節部位の両側から通電することができる。また、固定手段により、人体の関節部位に容易に固定することが可能となる。
【００２３】
請求項２に記載の発明によれば、一対の電極を保持すると共に、一対の電極を関節部位の両側に固定する電極支持ベルト部と、電極支持ベルト部を関節部位に固定する固定ベルト部により一対の電極を関節部位の両側に固定する。これにより、膝関節、肘関節、足首の関節、手の関節等の関節部位に電極を固定することが可能となる。そして、一対の電極により通電することで、痛み信号が途中で止まるように、痛みを伝える神経の間接部位に通じる痛みを抑える神経に作用させることで効果的な治療を行うことができる。
【００２４】
請求項３に記載の発明によれば、一対の電極が関節部位に低周波治療波を印加して痛みを伝達する神経に作用して痛みを和らげるため、効果的な治療を行うことができる。
【００２５】
請求項４に記載の発明によれば、電極支持ベルト部の両側に電極支持ベルト部と一体に形成されて関節部位の一側に固定される一側固定ベルト部と、関節部位又は関節部位の他側に固定される他側固定ベルト部により一対の電極を関節部位の両側に固定する。これにより、膝関節、肘関節、足首の関節、手の関節等の関節部位に電極を固定することが可能となる。そして、一対の電極により通電することで、痛み信号が途中で止まるように、痛みを伝える神経の間接部位に通じる痛みを抑える神経に作用させることで効果的な治療を行うことができる。
【００２６】
請求項５に記載の発明によれば、一側固定ベルト部は、大腿骨に巻き付けられて固定され、他側固定ベルト部は下腿骨に巻き付けられて固定され、電極支持ベルト部は、一対の電極が膝関節の両側にそれぞれ位置するように膝関節の周囲に巻き付けられる。これにより、電極が大腿骨と下腿骨との間の膝関節に通電して痛み信号が途中で止まるように、痛みを伝える神経の間接部位に通じる痛みを抑える神経に作用させることで効果的な治療を行うことができる。
【００２７】
請求項６に記載の発明によれば、電極支持ベルト部と一体に形成されて関節部位に固定される他側固定ベルト部により一対の電極を関節部位の両側に固定する。これにより、膝関節、肘関節、足首の関節、手の関節等の関節部位に電極を電極支持ベルト部の表面側から押圧して固定することが可能となる。そして、一対の電極により通電することで、痛み信号が途中で止まるように、痛みを伝える神経の間接部位に通じる痛みを抑える神経に作用させることで効果的な治療を行うことができる。
【００２８】
また、電極支持ベルト部と一体に形成されて関節部位に固定される他側固定ベルト部により一対の電極を関節部位の両側に固定するため、電極が関節部位に密着して固定することが可能となる。
【００２９】
請求項７に記載の発明によれば、他側固定ベルト部は、長手方向の中間部が電極支持ベルト部の電極保持部に連結部を介して連結され、連結部の両側には、電極保持部との間に非連結部が形成されているため、他側固定ベルト部の一端を非連結部に収納することができる。これにより、関節部位の周径が小さい場合でも他側固定ベルト部の一端が電極の下に収納されることがなく、一対の電極を直接人体に固定することができる。
【００３０】
請求項８に記載の発明によれば、電極支持ベルト部によって一対の電極が保持される保持部に弾性部材を設けることにより、一対の電極を関節部位に密着して固定することができる。
【００３１】
請求項９に記載の発明によれば、一側固定ベルト部は、大腿骨に巻き付けられて固定され、他側固定ベルト部は、一対の電極が膝関節の両側にそれぞれ位置するように大腿骨と下腿骨の間に巻き付けられて固定される。これにより、電極が大腿骨と下腿骨との間の膝関節に通電して痛み信号が途中で止まるように、痛みを伝える神経の間接部位に通じる痛みを抑える神経に作用させることで効果的な治療を行うことができる。
【００３２】
また、他側固定ベルト部を大腿骨と下腿骨の間に巻き付けられて固定することにより、下腿骨に巻き付けられて固定する固定ベルト部がなくても一対の電極を関節部位に固定することが可能となる。従って、部品点数を減らすことで製造コストの低減を図ることができる。
【００３３】
請求項１０に記載の発明によれば、コントローラは一側固定ベルト部に固定されているため、一側固定ベルト部を大腿骨に装着するだけでコントローラが見やすい位置に固定される。また、人体の平らな部分にコントローラが固定されるため、動いてもコントローラが外れにくくなる。さらに、コントローラが一側固定ベルト部に着脱自在に固定されるため、コントローラを取り外して手に持って関節部位に通電する大きさ等を設定することが可能となる。
【００３４】
請求項１１に記載の発明によれば、一側固定ベルト部の外表面側には、一対の電極に一端がそれぞれ接続され、電極支持ベルト部及び一側固定ベルト部の内部に配索されたハーネスの他端がそれぞれ接続された一対の電極が露出され、一対の電極にコントローラが接続されて一側固定ベルト部にコントローラが固定される。これにより、電極が関節部位に通電して痛み信号が途中で止まるように、痛みを伝える神経の間接部位に通じる痛みを抑える神経に作用させることで効果的な治療を行うことができる。
【図面の簡単な説明】
【００３５】
【図１】本発明の第１実施形態に係る電子治療器の裏面を示した図である。
【図２】本発明の第１実施形態に係る電子治療器の表面を示した図である。
【図３】本発明の第１実施形態に係る電子治療器にコントローラを装着した図である。
【図４】本発明の第１実施形態に係る電子治療器のコントローラを示した図である。
【図５】本発明の第１実施形態に係る電子治療器を人体の膝に装着した図である。
【図６】本発明の第１実施形態に係る電子治療器を人体の膝に装着した図である。
【図７】本発明の第２実施形態に係る電子治療器の裏面を示した図である。
【図８】本発明の第２実施形態に係る電子治療器の表面を示した図である。
【図９】本発明の第２実施形態に係る電子治療器の連結部及び非連結部を示した図である。
【図１０】本発明の第２実施形態に係る電子治療器の断面図である。
【図１１】本発明の第２実施形態に係る電子治療器を人体の膝に装着した図である。
【図１２】本発明の第２実施形態に係る電子治療器の変形例を示す図である。
【図１３】本発明の第２実施形態に関わる電子治療器の変形例を示す図である。
【発明を実施するための形態】
【００３６】
以下、本発明の実施形態について図面を参照して説明する。はじめに、図１から図６を参照して、本発明の第１実施形態に係る電子治療器について説明する。図１は、本発明の第１実施形態に係る電子治療器の裏面を示した図である。図２は、本発明の第１実施形態に係る電子治療器の表面を示した図である。図３は、本発明の第１実施形態に係る電子治療器にコントローラを装着した図である。図４は、本発明の第１実施形態に係る電子治療器に装着されるコントローラを示した図である。図５及び図６は、本発明の第１実施形態に係る電子治療器を人体の膝に装着した場合の図である。
【００３７】
なお、本発明の第１実施形態では、電子治療器１は、図５及び図６に示すように、人体５０の大腿骨５１と下腿骨５２の間である膝関節５３の周囲に巻き付けて固定し、電極１０により膝関節５３に低周波治療波を印加して痛みを伝達する神経に作用して痛みを和らげる場合について説明する。
【００３８】
図１から図３に示すように、電子治療器１は、人体５０の膝関節５３に通電可能な一対の電極１０と、一対の電極１０を膝関節５３の両側に固定するベルト部２０（固定手段）と、一対の電極１０を膝関節５３に通電する通電量を制御するコントローラ３０から略構成されている。
【００３９】
図１に示すように、一対の電極１０は、人体５０の一側の膝関節５３に装着される一方の電極１１と、人体５０の他側の膝関節５３に装着される他方の電極１２と、一対の電極１０から露出して、低周波治療波を印加する電極子１３、１４から構成されている。
【００４０】
ここで、人体５０の膝関節５３の周径は体格、年齢、性別等で異なるものの、人体５０の膝蓋骨の大きさは体格、年齢、性別等に係らず、おおよそ同じ大きさである。従って、電極子１３、１４を人体５０の膝関節５３に接触する場合、図１に示すように、電極子１３と電極子１４の間Ａを１６ｃｍ程度に保つ配置とすることが望ましい。
【００４１】
また、図１に示すように、一方の電極１１及び他方の電極１２の直径Ｂは、人体５０の大腿及び下腿の筋肉を刺激しない３ｃｍ程度とすることが望ましい。これにより、電極子１３、１４からの通電により筋肉が刺激されることがなくなるため、通電による刺激に慣れてしまい、使用初期に設定した通電量が弱いと感じて、通電量を上げることに伴う急激な刺激を感じることがない。
【００４２】
ベルト部２０は、図１から図３に示すように、一対の電極１０を支持する電極支持ベルト部２１と、電極支持ベルト部２１の両側に電極支持ベルト部２１と一体に形成されて、人体５０の膝関節５３の一側に固定される一側固定ベルト部２２と、膝関節５３の他側に固定される他側固定ベルト部２３とから構成されている。
【００４３】
電極支持ベルト部２１は、一対の電極１０を保持する電極保持部２４を有しており、一方の電極１１及び他方の電極１２から電極子１３、１４が露出されている。そして、電極支持ベルト部２１の両側に電極支持ベルト部２１と一体に形成された一側固定ベルト２２を人体５０の膝関節５３の一側に固定することにより、電極子１３、１４から膝関節５３に低周波治療波を出力して印加する。
【００４４】
一側固定ベルト部２２は、コントローラ支持部２５により、図４に示すコントローラ３０を支持する。コントローラ３０は、コントローラ３０側に設けられた図示しない嵌合治具と、コントローラ支持部２５側に設けられた嵌合治具３５により、コントローラ支持部２５に嵌め込むことが可能である。そして、コントローラ３０は、図２及び図３に示すように、一側固定ベルト部２２に着脱自在に固定される。
【００４５】
図１及び図２に示すように、一側固定ベルト部２２の外表側には、一対の電極１０に一端がそれぞれ接続され、電極支持ベルト部２１及び一側固定ベルト部２２の内部に配索されたハーネス４０の他端がそれぞれ接続された一方の電極１１及び他方の電極１２から電極子１３、１４が露出されている。そして、一対の電極子１０にコントローラ３０が接続されて一側ベルト部２２にコントローラ３０を固定する。
【００４６】
そして、上記のように構成された電子治療器１は、図５及び図６に示すように、一側固定ベルト部２２は、人体５０の大腿骨５１に巻きつけられて固定され、他側固定ベルト部２３は下腿骨５２に巻き付けられて固定され、電極支持ベルト部２１は、一対の電極１０が膝関節５３の両側にそれぞれ位置するように膝関節５３の周囲に巻き付けられる。
【００４７】
このように、一対の電極１０を支持する電極支持ベルト部２１により、一対の電極１０を支持し、人体５０の大腿骨５１と下腿骨５２の境目である膝関節５３に電極子１３、１４から低周波治療波を印加する。そして、一側固定ベルト部２２を大腿骨５１に固定し、他側固定を下腿骨５２に固定することにより、人体５０の膝関節５３の周径は体格、年齢、性別等で異なるものの、一つのベルト部２０で全ての人体５０の膝関節５３に固定することが可能となる。
【００４８】
また、ベルト部２０は、一対の電極１０を支持する電極支持ベルト部２１と、電極支持ベルト部２１の両側に電極支持ベルト部２１と一体に形成されて、人体５０の膝関節５３の一側に固定される一側固定ベルト部２２と、膝関節５３の他側に固定される他側固定ベルト部２３とから構成されているため、体格、性別、年齢に関係なく、ベルト部２０を簡単に装着することができる。さらに、ベルト部２０を装着することにより、簡単に膝関節５３に一対の電極１０を接触させることができるため、膝関節５３に低周波治療波を印加して痛みを伝達する神経に作用して痛みを和らげることが可能となる。
【００４９】
図３及び図４に示すように、コンローラ３０は、一対の電極１０による通電を開始又は終了する電源スイッチ３１と、通電量を下げる弱スイッチ３２と、通電量を上げる強スイッチ３３と、所定の音を出力するスピーカ３４を備えている。
【００５０】
そして、ベルト部２０を装着した後、コントローラ３０の電源スイッチ３１がオンとされると、コントローラ３０は、膝関節５３へ通電する通電量を制御してハーネス４０の他端がそれぞれ接続された一方の電極１１及び他方の電極１２から露出した電極子１３、１４より、膝関節５３に低周波治療波を出力して印加する。
【００５１】
また、コントローラ３０は、使用初期に通電量を任意の大きさに設定し、予め決定された時間間隔毎又は低周波治療波の周期に応じた刺激感の少ないタイミングで、スピーカ３４により、現在設定されている通電量より更に通電量を上げるため、強スイッチ３２を操作するように使用者に即す音を出力する。
【００５２】
さらに、コントローラ３０にディスプレイ等を備えることにより、現在設定されている通電量より更に通電量を上げるため、強スイッチ３２を操作するように使用者に即す画像を表示してもよい。
【００５３】
これにより、予め決定された時間間隔毎又は低周波治療波の周期に応じて、一定時間低周波治療波を膝関節に通電する治療の刺激に慣れたら通電量を上げる、そして、またその刺激に慣れたら通電量を更に上げることで苦痛を伴わずに最終的に低周波治療波の電流を増やすことが可能となる。
【００５４】
このようにして、本発明の第１実施形態に係る電子治療器１は、人体５０の関節部位（例えば、膝関節５３）に通電可能な一対の電極１０により人体５０の関節部位に通電する。関節部位を一対の電極１０により通電することで、痛み信号が途中で止まるように、痛みを伝える神経の間接部位に通じる痛みを抑える神経に作用させる。これにより、効果的な治療を行うことが可能な電子治療器１を提供することができる。
【００５５】
また、ベルト部２０により、一対の電極１０を関節部位の両側に固定して、関節部位の両側から通電することができる。また、ベルト部２０により、一対の電極１０を人体５０の関節部位に容易に固定することが可能となる。
【００５６】
また、本発明の第１実施形態に係る電子治療器１は、一対の電極１０を支持する電極支持ベルト部２１と、電極支持ベルト部２１の両側に電極支持ベルト部２１と一体に形成されて関節部位（例えば、膝関節５３）の一側に固定される一側固定ベルト部２２と、関節部位の他側に固定される他側固定ベルト部２３により一対の電極１０を関節部位の両側に固定する。これにより、膝関節５３のみならず、肘関節、足首の関節、手の関節等の関節部位に電極を固定することが可能となる。そして、一対の電極１０により通電することで、痛み信号が途中で止まるように、痛みを伝える神経の間接部位に通じる痛みを抑える神経に作用させることで効果的な治療を行うことができる。
【００５７】
さらに、本発明の第１実施形態に係る電子治療器１は、一側固定ベルト部２２は、大腿骨５１に巻き付けられて固定され、他側固定ベルト部２３は下腿骨５２に巻き付けられて固定され、電極支持ベルト部２１は、一対の電極１０が膝関節５３の両側にそれぞれ位置するように膝関節５３の周囲に巻き付けられる。これにより、電極が大腿骨５１と下腿骨５２との間の膝関節５３に通電して痛み信号が途中で止まるように、痛みを伝える神経の間接部位に通じる痛みを抑える神経に作用させることで効果的な治療を行うことができる。
【００５８】
また、本発明の第１実施形態に係る電子治療器１は、コントローラは一側固定ベルト部２２に固定されているため、一側固定ベルト部２２を大腿骨に装着するだけでコントローラ３０が見やすい位置に固定される。また、人体の平らな部分にコントローラ３０が固定されるため、動いてもコントローラ３０が外れにくくなる。さらに、コントローラ３０が一側固定ベルト部２２に着脱自在に固定されるため、コントローラを取り外して手に持って関節部位に通電する大きさ等を設定することが可能となる。
【００５９】
また、本発明の第１実施形態に係る電子治療器１は、一側固定ベルト部２２の外表面側には、一対の電極１０に一端がそれぞれ接続され、電極支持ベルト部２１及び一側固定ベルト部２２の内部に配索されたハーネス４０の他端がそれぞれ接続された一対の電極子１３、１４が露出され、一対の電極子１３、１４にコントローラ３０が接続されて一側固定ベルト部２２にコントローラ３０が固定される。これにより、電極が関節部位に通電して痛み信号が途中で止まるように、痛みを伝える神経の間接部位に通じる痛みを抑える神経に作用させることで効果的な治療を行うことができる。
【００６０】
また、本発明の第１実施形態に係る電子治療器１は、一対の電極１０が関節部位に低周波治療波を印加して痛みを伝達する神経に作用して痛みを和らげるため、効果的な治療を行うことができる。
【００６１】
以上、本発明の第１電子治療器を図示の実施形態に基づいて説明したが、本発明はこれに限定されるものではなく、各部の構成は、同様の機能を有する任意の構成のものに置き換えることができる。
【００６２】
例えば、上記した第１実施形態では、電子治療器１は、人体５０の大腿骨５１と下腿骨５２の間である膝関節５３の周囲に巻き付けて固定し、電極１０により膝関節５３に低周波治療波を印加して痛みを伝達する神経に作用して痛みを和らげる場合について説明したが、ベルト部２０の構造を変更することにより、膝関節のみならず、肘関節、足首の関節、手の関節等の関節部位に一対の電極１０を固定することが可能となる。
【００６３】
また、上記した第１実施形態では、一対の電極１０は、電極保持部２４により保持されている場合について説明したが、一対の電極１０とベルト部２０を分離可能に構成することで、ベルト部２０のみを洗濯することが可能となる。
【００６４】
さらに、一対の電極１０とベルト部２０を分離可能に構成することにより、電子治療機１を腰や肩等に装着する場合に、一対の電極１０の位置を変更して低周波治療波を印加することが可能となる。
【００６５】
次に、図７から図１１を参照して、第２実施形態に係る電子治療器について説明する。図７は、本発明の第２実施形態に係る電子治療器の裏面を示した図である。図８は、本発明の第２実施形態に係る電子治療器の表面を示した図である。図９は、本発明の第２実施形態に係る電子治療器の連結部及び非連結部を示した図である。図１０は、本発明の第２実施形態に係る電子治療器の断面図である。図１１は、本発明の第２実施形態に係る電子治療器を人体の膝関節に装着した図である。
【００６６】
また、第２実施形態に係る電子治療器１は、本発明の第１実施形態に係る電子治療器１と略同様の構成等を有するため、同様の構成に関しては、説明を省略するものとする。また、電子治療器１と対応する構成要素には同一の符号を付して説明することとする。
【００６７】
なお、本発明の第２実施形態では、第１実施形態と同様に、電子治療器１は、図１１に示すように、人体５０の大腿骨５１と下腿骨５２の間である膝関節５３の周囲に巻き付けて固定し、電極１０により膝関節５３に低周波治療波を印加して痛みを伝達する神経に作用して痛みを和らげる場合について説明する。
【００６８】
図７から図１１に示すように、電子治療器１は、人体５０の膝関節５３に通電可能な一対の電極１０と、一対の電極１０を膝関節５３の両側に固定するベルト部２００と、一対の電極１０を膝関節５３に通電する通電量を制御するコントローラ３０から略構成されている。
【００６９】
図７に示すように、一対の電極１０は、人体５０の一側の膝関節５３に装着される一方の電極１１と、人体５０の他側の膝関節５３に装着される他方の電極１２と、一対の電極１０から露出して、低周波治療波を印加する電極子１３、１４から構成されている。
【００７０】
ベルト部２００は、図７及び図８に示すように、一対の電極１０を保持すると共に、一対の電極１０を膝関節５３の両側に固定する電極支持ベルト部１２１と、電極支持ベルト部１２１の両側に電極支持ベルト部１２１と一体に形成されて、人体５０の膝関節５３の一側に固定される一側固定ベルト部１２２と、電極支持ベルト部１２１と一体に形成され、膝関節５３に固定される他側固定ベルト部１２３とから構成されている。
【００７１】
電極支持ベルト部１２１は、一対の電極１０を保持する電極保持部１２４を有しており、一方の電極１１及び他方の電極１２から電極子１３、１４が露出されている。そして、人体５０の大腿骨５１と下腿骨５２の境目である膝関節５３に電極子１３、１４から低周波治療波を印加する。
【００７２】
一側固定ベルト部１２２は、コントローラ支持部１２５により、図８に示すコントローラ３０を支持する。コントローラ３０は、コントローラ３０側に設けられた図示しない嵌合治具と、コントローラ支持部２５側に設けられた嵌合治具３５により、コントローラ支持部２５に嵌め込むことが可能である。そして、コントローラ３０は、図８に示すように、一側固定ベルト部１２２に着脱自在に固定される。
【００７３】
他側固定ベルト部１２３は、電極支持ベルト部１２１と一体に形成されているため、膝間接５３に電極子１３、１４を電極支持ベルト１２１の表面側から押圧して固定される。また、電極支持ベルト部１２１の両側が引っ張られることがなく、電極子１３、１４は、他側固定ベルト部１２３により膝間接５３に密着して固定される。
【００７４】
さらに、他側固定ベルト部１２３は、図７から図９に示すように、長手方向の中間部が電極支持ベルト部１２１の電極保持部１２４に連結部１２５ａを介して接続され、連結部１２５ａの両側には、電極保持部１２４との間に非連結部１２５ｂが形成されている。図１０に示すように、膝関節５３の周径が小さい場合には、他側固定ベルト１２３の一端を非連結部１２５ｂに収納することにより他側固定ベルト部１２３を膝関節５３に固定する。これにより、関節部位の周径が小さい場合でも他側固定ベルト部１２３の一端が電極子１３、１４の下に収納されることがなく、一対の電極１０は直接人体に固定される。
【００７５】
また、他側固定ベルト部１２３は、図９及び図１０に示すように、電極支持ベルト部１２１によって一対の電極１０が保持される保持部１２６にウレタン等の弾性部材を設けている。他側固定ベルト部１２３を膝間接５３に固定すると、弾性部材は、他側固定ベルト部１２３によって表面側から押圧され、一対の電極１０の電極子１３、１４は膝関節５３に密着して固定される。
【００７６】
そして、上記のように構成された電子治療器１は、図１１に示すように、一側固定ベルト部１２２は、人体５０の大腿骨５１に巻きつけられて固定され、他側固定ベルト部１２３は、一対の電極１０が膝関節５３の両側にそれぞれ位置するように大腿骨５１と下腿骨５２の間に巻き付けられて固定される。
【００７７】
このようにして、本発明の第２実施形態に係る電子治療器１は、人体５０の関節部位（例えば、膝関節５３）に通電可能な一対の電極１０により人体５０の関節部位に通電する。関節部位を一対の電極１０により通電することで、痛み信号が途中で止まるように、痛みを伝える神経の間接部位に通じる痛みを抑える神経に作用させる。これにより、効果的な治療を行うことが可能な電子治療器１を提供することができる。
【００７８】
また、本発明の第２実施形態に係る電子治療器１は、一対の電極１０を保持すると共に、一対の電極１０を関節部位の両側に固定する電極支持ベルト部１２１と、電極支持ベルト部１２１を関節部位に固定するベルト部２００により一対の電極を関節部位の両側に固定する。これにより、膝関節、肘関節、足首の関節、手の関節等の関節部位に電極を固定することが可能となる。そして、一対の電極により通電することで、痛み信号が途中で止まるように、痛みを伝える神経の間接部位に通じる痛みを抑える神経に作用させることで効果的な治療を行うことができる。
【００７９】
さらに、本発明の第２実施形態に係る電子治療器１は、一対の電極１０が関節部位に低周波治療波を印加して痛みを伝達する神経に作用して痛みを和らげるため、効果的な治療を行うことができる。
【００８０】
また、本発明の第２実施形態に係る電子治療器１は、電極支持ベルト部１２１と一体に形成されて関節部位に固定される他側固定ベルト部１２３により一対の電極１０を関節部位の両側に固定する。これにより、膝関節、肘関節、足首の関節、手の関節等の関節部位に電極を電極支持ベルト部１２１の表面側から押圧して固定することが可能となる。そして、一対の電極１０により通電することで、痛み信号が途中で止まるように、痛みを伝える神経の間接部位に通じる痛みを抑える神経に作用させることで効果的な治療を行うことができる。
【００８１】
また、電極支持ベルト部１２１と一体に形成されて関節部位に固定される他側固定ベルト部１２３により一対の電極１０を関節部位の両側に固定するため、電極子１３、１４が関節部位に密着して固定することが可能となる。
【００８２】
さらに、本発明の第２実施形態に係る電子治療器１は、他側固定ベルト部１２３は、長手方向の中間部が電極支持ベルト部１２１の電極保持部１２４に連結部１２５aを介して連結され、連結部の両側には、電極保持部１２４との間に非連結部１２５ｂが形成されているため、他側固定ベルト部１２３の一端を非連結部１２５ｂに収納することができる。これにより、関節部位の周径が小さい場合でも他側固定ベルト部１２３の一端が電極子１３、１４の下に収納されることがなく、一対の電極を直接人体に固定することができる。
【００８３】
また、本発明の第２実施形態に係る電子治療器１は、電極支持ベルト部１２１によって一対の電極１０が保持される保持部１２６に弾性部材を設けることにより、一対の電極１０を関節部位に密着して固定することができる。
【００８４】
さらに、本発明の第２実施形態に係る電子治療器１は、一側固定ベルト部１２２は、大腿骨５１に巻き付けられて固定され、他側固定ベルト部１２３は、一対の電極１０が膝関節５３の両側にそれぞれ位置するように大腿骨５１と下腿骨５２の間に巻き付けられて固定される。これにより、電極子１３、１４が大腿骨５１と下腿骨５２との間の膝関節５３に通電して痛み信号が途中で止まるように、痛みを伝える神経の間接部位に通じる痛みを抑える神経に作用させることで効果的な治療を行うことができる。
【００８５】
また、他側固定ベルト部１２３を大腿骨５１と下腿骨５２の間に巻き付けられて固定することにより、下腿骨５２に巻き付けられて固定する固定ベルトがなくても一対の電極１０を関節部位に固定することが可能となる。従って、部品点数を減らすことで製造コストの低減を図ることができる。
【００８６】
また、本発明の第２実施形態に係る電子治療器１は、コントローラは一側固定ベルト部に固定されているため、一側固定ベルト部を大腿骨に装着するだけでコントローラが見やすい位置に固定される。また、人体の平らな部分にコントローラが固定されるため、動いてもコントローラが外れにくくなる。さらに、コントローラが一側固定ベルト部に着脱自在に固定されるため、コントローラを取り外して手に持って関節部位に通電する大きさ等を設定することが可能となる。
【００８７】
さらに、本発明の第２実施形態に係る電子治療器１は、一側固定ベルト部の外表面側には、一対の電極に一端がそれぞれ接続され、電極支持ベルト部及び一側固定ベルト部の内部に配索されたハーネスの他端がそれぞれ接続された一対の電極が露出され、一対の電極にコントローラが接続されて一側固定ベルト部にコントローラが固定される。これにより、電極が関節部位に通電して痛み信号が途中で止まるように、痛みを伝える神経の間接部位に通じる痛みを抑える神経に作用させることで効果的な治療を行うことができる。
【００８８】
以上、本発明の第２電子治療器を図示の実施形態に基づいて説明したが、本発明はこれに限定されるものではなく、各部の構成は、同様の機能を有する任意の構成のものに置き換えることができる。
【００８９】
例えば、上記した第２実施形態では、第１実施形態と同様に、電子治療器１は、人体５０の大腿骨５１と下腿骨５２の間である膝関節５３の周囲に巻き付けて固定し、電極１０により膝関節５３に低周波治療波を印加して痛みを伝達する神経に作用して痛みを和らげる場合について説明したが、ベルト部２００の構造を変更することにより、膝関節のみならず、肘関節、足首の関節、手の関節等の関節部位に一対の電極１０を固定することが可能となる。
【００９０】
また、上記した第２実施形態では、一対の電極１０は、電極保持部２４により保持されている場合について説明したが、一対の電極１０とベルト部２００を分離可能に構成することで、ベルト部２００のみを洗濯することが可能となる。
【００９１】
さらに、一対の電極１０とベルト部２００を分離可能に構成することにより、電子治療機１を腰や肩等に装着する場合に、一対の電極１０の位置を変更して低周波治療波を印加することが可能となる。
【００９２】
また、上記した第２実施形態では、他側固定ベルト部１２３は、一対の電極１０が膝関節５３の両側にそれぞれ位置するように大腿骨５１と下腿骨５２の間に巻き付けられて固定する場合について説明したが、図１２に示すように、下腿骨５２に巻きつけて固定されるベルト部材１２７を設けてもよい。この場合、膝関節５３の周径に係らず、ベルト部材１２７を調整することにより電子治療器１と人体５０の密着度を向上させることが可能となる。
【００９３】
さらに、電極支持ベルト部１２１のうち、下腿骨５２周囲に巻き付けられる部分に紐を通し、調整部材により紐の長さを調整することで電極支持ベルト部１２１の一部を伸縮させてもよい。この場合、膝関節５３の周径に係らず、調整部材により電極支持ベルト部１２１の一部を伸縮させることにより電子治療器１と人体５０の密着度を向上させることが可能となる。
【００９４】
また、上記した第２実施形態では、固定ベルト部２００は、電極支持ベルト部１２１と、一側固定ベルト部１２２と、他側固定ベルト部１２３とから構成されている場合について説明したが、図１３に示すように、一側固定ベルト部１２２を省略することが可能である。図１３に示すように、固定ベルト部２００を電極支持ベルト部１２１と、一側固定ベルト部１２２とから構成することにより、一側固定ベルト部１２２のみで電極子１３、１４を関節部位に固定することができるため、膝のみならず、肩や肘、足首、手等に電子治療器１を装着し易くすることができる。
【００９５】
さらに、上記した第２実施形態では、コントローラ３０側に設けられた嵌合治具（図示省略）と、コントローラ支持部２５側に設けられた嵌合治具３５により、コントローラ３０をコントローラ支持部２５に嵌め込み、コントローラ３０が一側固定ベルト部１２２に固定される場合について説明したが、これに限定されるものではない。例えば、図１３に示すように、一端が電極支持ベルト部１２１の内部に配索されたハーネス４０（図８参照）に接続され、他端にコントローラ３０が接続されたコード３２により、コントローラ３０をコントローラ支持部２５から離すように構成してもよい。この場合、膝や肩、肘、足首、手等に電子治療器１を装着した場合に、関節部位によってコントローラ３０が見やすい位置に固定されないという事がない。従って、よりコントローラ３０を操作し易くすることが可能となる。
【００９６】
さらに、コード３２を伸縮自在に構成することにより、コントローラ３０がコントローラ支持部２５に接した状態で膝や肩、肘、足首、手等に電子治療器１を装着し、一対の電極１０による通電を開始等する場合には、コントローラ３０をコントローラ支持部２５から離すことにより、コントローラ３０を手に持って操作することができるため、膝や肩、肘、足首、手等に電子治療器１をより装着し易くすると共に、コントローラ３０を操作し易くすることが可能となる。
【産業上の利用可能性】
【００９７】
本発明は、人体の関節部位に低周波治療波を印加して痛みを伝達する神経に作用して痛みを和らげる上で極めて有用である。
【符号の説明】
【００９８】
１        電子治療器
１０      一対の電極
１１      一方の電極
１２      他方の電極
１３      電極子
１４      電極子
２０      固定ベルト部
２１    電極支持ベルト部（第１実施形態）
２２      一側固定ベルト部（第１実施形態）
２３      他側固定ベルト部（第１実施形態）
２４      電極保持部（第１実施形態）
２５      コントローラ支持部
３０      コントローラ
３５      嵌合治具
４０      ハーネス
５０      足
５１      大腿骨
５２      下腿骨
５３      膝関節
１２１    電極支持ベルト部１２１（第２実施形態）
１２２    一側固定ベルト部１２２（第２実施形態）
１２３    他側固定ベルト部１２３（第２実施形態）
１２４    電極保持部（第２実施形態）
１２５ａ  連結部
１２５ｂ  非連結部
１２６    保持部
１２７    ベルト部材
【図１】
2011045696.tif 000003
【図２】
2011045696.tif 000004
【図３】
2011045696.tif 000005
【図４】
2011045696.tif 000006
【図５】
2011045696.tif 000007
【図６】
2011045696.tif 000008
【図７】
2011045696.tif 000009
【図８】
2011045696.tif 000010
【図９】
2011045696.tif 000011
【図１０】
2011045696.tif 000012
【図１１】
2011045696.tif 000013
【図１２】
2011045696.tif 000014
【図１３】
2011045696.tif 000015